(57)【特許請求の範囲】
【請求項１】
梁材、床材及び壁材から構成される住戸本体と、少なくとも前記床材と連続し、該住戸本体の外気側に突出するバルコニー又は廊下を構成するスラブとを有する建築構造体において、少なくとも、床材の上面又は下面に発熱体を付設し、更に、壁材又は梁材の部屋側面に発熱体を付設することを特徴とする建築構造体のヒートブリッジ緩和方法。
【請求項２】

前記建築構造体は、前記壁材に外断熱を施したものであることを特徴とする請求項１記載の建築構造体のヒートブリッジ緩和方法。
【発明の詳細な説明】
【０００１】
【発明の属する技術分野】
本発明は、住戸本体の外気側に突出するバルコニー又は廊下を形成するスラブから部屋に伝わる外気の冷気、いわゆるヒートブリッジを緩和する方法に関するものである。
【０００２】
【従来の技術】
冬場、壁がじっとり濡れる結露に悩まされる住宅は多い。目に見えない壁内部の結露も、かびの発生やアレルギーにつながるため、これらを防ぐための外断熱工法が注目を集めている。住宅、病院等の建築物の壁などをすっぽり断熱材で外側からくるむため、建物を長持ちさせる効果がある。しかし、住戸本体の外気側に突出するバルコニー又は廊下を形成するスラブを有する建築構造体においては、該スラブからのヒートブリッジを防止することは困難であり、部分的な結露の発生によるアレルギーの問題はやはり深刻である。
【０００３】
これを解決するものとして、バルコニーや廊下を無くするか、又は小さくする方法があり、更に、住戸本体と、該住戸本体から外気側に突出するバルコニーや廊下とを切り離した構造物とする方法がある。
【０００４】
【発明が解決しようとする課題】
しかしながら、集合住宅などには、やはりバルコニーや廊下が必要であり、バルコニーや廊下の無い構造体は、建築物としての価値が低下してしまう。また、バルコニーや廊下を住戸本体から切り離した構造の場合、高層建築物となると、バルコニーや廊下部分を支える構造体が巨大化してしまう。
【０００５】
従って、本発明の目的は、住戸本体の外気側に突出するバルコニー又は廊下のスラブから部屋に伝わる外気の冷気を比較的簡易な方法で遮断して、屋内結露の問題を解消すると共に、該スラブ内であって屋外と屋内の境界部分を温度制御することで、部屋全体を均一に保温することができる建築構造体のヒートブリッジ緩和方法を提供することにある。
【０００６】
【課題を解決するための手段】
かかる実情において、本発明者等は鋭意検討を行った結果、住戸本体から外気側に突出するバルコニー又は廊下となるスラブを有する建築構造体において、住戸本体を構成する梁材又は壁材の外気側面と部屋側面とで区画される該スラブ構造の内部に発熱体を埋設するか、あるいは、床材、梁材又は壁材の少なくともひとつの部屋側面に発熱体を付設すれば、屋外と屋内の境界部分を加温でき、バルコニーや廊下を形成するスラブから部屋に伝わる外気の冷気、すなわち、ヒートブリッジを比較的簡易な方法で遮断することができ、屋内結露の問題を解消することができると共に、部屋全体を均一に保温できることなどを見出し、本発明を完成するに至った。
【０００８】
すなわち、本発明は、梁材、床材及び壁材から構成される住戸本体と、少なくとも前記床材と連続し、該住戸本体の外気側に突出するバルコニー又は廊下を構成するスラブとを有する建築構造体において、少なくとも、床材の上面又は下面に発熱体を付設し、更に、壁材又は梁材の部屋側面に発熱体を付設する建築構造体のヒートブリッジ緩和方法を提供するものである。かかる構成を採ることにより、部屋側（屋内）に面する床材部分を加温でき、バルコニーや廊下のスラブから部屋に伝わる外気の冷気を当該部分で遮断することができ、屋内結露の問題を解消することができる。また、当該加温部分は自在に温度制御できるため、通常の外断熱や内断熱を併用すれば、部屋全体を断熱材や発熱体の熱ですっぽり包むことができ、部屋内を均一に保温できる。また、部屋側（屋内）に面する床材部分の他、梁材や壁材部分を加温でき、バルコニーや廊下のスラブから部屋に伝わる外気の冷気をより確実に遮断することができる。当該方法は、部分内断熱工法の一種と言うことができる。
【００１０】
また、本発明は、前記建築構造体は、前記壁材に外断熱を施したものである前記建築構造体のヒートブリッジ緩和方法を提供するものである。かかる構成を採ることにより、前記発明と同様の効果を奏する他、建築構造体の壁などをすっぽり断熱材で外側からくるむため、結露の問題を生じることなく、建物をより長持ちさせる効果がある。
【００１１】
【発明の実施の形態】
本発明の実施の形態における建築構造体のヒートブリッジ緩和方法について、図１〜図４を参照して説明する。図１は、本例の建築構造体を上から見た模式図、図２は図１のＡ領域の側面から見た断面図、図３は図１のＡ領域の側面から見た他の断面図、図４は図１のＡ領域の側面から見た他の断面図をそれぞれ示す。
【００１２】
図１〜図４に示すように、本例の建築構造体１は、梁材３、床材６及び壁材５から構成される住戸本体４と、少なくとも梁材３又は床材６と連続し住戸本体４の外気側に突出するバルコニー２ｂ又は廊下２ａを構成するスラブと、を有するものである。図１は、集合住宅であって、住戸本体４、４、４・・・は内壁材７、７、７・・で区画されると共に、住戸本体４の例えば北側には廊下２ａが付設され、南側にはバルコニー２ｂが付設されている。
【００１３】
更に、本例の建築構造体１は、壁材５に外断熱が施されて外断熱外壁構造体９を形成している。外断熱外壁構造体９としては、少なくとも外壁板９ａ、通気層（不図示）及び断熱材９ｂを有してなるものであれば、特に制限されず、現場の型枠にコンクリートを打ち込むことで形成された外断熱外壁構造体、あるいは予め工場で製造された外断熱プレキャストコンクリート外壁構造体を挙げることができる。しかし、住戸本体４の外気側に突出するバルコニー２ｂや廊下２ａの部分は、外断熱外壁構造体とすることができない。
【００１４】
本例においては、この外気側に突出するバルコニー２ｂや廊下２ａの部分は、梁材３又は壁材５の外気側面と部屋側面とで区画されるスラブの内部に発熱体１０を埋設する。これにより、発熱体１０を発熱させれば、屋外と屋内の境界部分が加温され、外断熱と同様の効果を得ることができる。梁材３又は壁材５の外気側面とは、外断熱が施工される場合、梁材３又は壁材５と断熱材９ｂと当接する面を言い、梁材３の部屋側面とは、梁材３の部屋側に面する部分３ａを意味し、壁材５の部屋側面とは、壁材５の部屋側に面する部分５ａを意味する。従って、発熱体１０の埋設場所としては、図２中、網目状部分Ｚの範囲で、紙面の上下方向、すなわち、水平部材中であり、好ましくは梁材３又は壁材５の外気側面と壁材５の部屋側に面する部分５ａとで形成されるスラブ中、すなわち、図２中、ＸとＹで形成される部分とすることが、バルコニー２ｂのスラブから部屋に伝わる外気の冷気をより確実に遮断することができる点で好適である。発熱体１０の埋設位置が、上記Ｚの範囲より外側であると、加温効果が低下し非効率であり、一方、上記Ｚの範囲より内側であると、外気の冷気を遮断できなくなり、すなわち、ヒートブリッジが生じて結露を発生し易くなる。
【００１５】
発熱体１０の埋設方法としては、当該部分に貫通穴を形成し、その内部にニクロム線などの線状発熱体を挿入する方法が挙げられる。また、発熱体１０のＯＮ、ＯＦＦ等の温度制御は、住戸本体４毎に管理する方法、共用部分で各フロアー毎に管理する方法又はエレベーターホールのような共用部分に発電装置を設置して棟全体を集中制御部８で一括管理する方法などが挙げられる。
【００１６】
また、発熱体の付設形態は上記方法に限定されず、例えば、少なくとも床材の部屋側面のいずれか一方に発熱体を付設する方法（図３）や、該方法に加えて、更に、壁材又は梁材の部屋側面に発熱体を付設する方法（図４）が挙げられる。すなわち、床材６への発熱体１１ａの付設は、床材６の上面６ａであっても、下面６ｂであっても、また、その両面６ａ、６ｂであってもよく、また、床材６の全面に付設する必要はなく、少なくとも外気側に付設されていれば、床材６の面の一部であってもよい。これにより、部屋側（屋内）に面する床材部分を加温でき、バルコニーや廊下のスラブから部屋に伝わる外気の冷気を遮断することができる。
【００１７】
また、壁材５又は梁材３への発熱体１１ａ〜１１ｄの付設は、部屋側の壁材５又は梁材３の全面に付設する必要はなく、少なくともバルコニー又は廊下側に付設されていれば、壁材５又は梁材３の一部であってもよい。これにより、発熱体１１を発熱させれば、バルコニーや廊下のスラブから部屋に伝わる外気の冷気を更に、確実に遮断することができ、外断熱と同様の効果を得ることができる。部屋側の壁材５又は梁材３の全面に発熱体１１ａ〜１１ｄを付設する場合、内断熱工法となり、部屋側の壁材５又は梁材３の一部の面に発熱体１１ａ〜１１ｄを付設する場合、部分内断熱工法と言うことができる。
【００１８】
付設される発熱体１１としては、特に制限されないが、例えば、面状発熱体を使用することができる。面状発熱体の付設方法も公知の方法が使用できる。また、発熱体１１のＯＮ、ＯＦＦ等の温度制御は、前記埋設される発熱体１０と同様に、住戸本体４毎に管理する方法、共用部分で各フロアー毎に管理する方法又はエレベーターホールのような共用部分に発電装置を設置して棟全体を集中制御部８で一括管理する方法などが使用できる。
【００１９】
本発明においては、前記埋設する発熱体１０と、前記付設する発熱体１１を併用することができる。これにより、屋外と屋内の境界部分と屋内部分の双方共に、加温できるため、バルコニーや廊下のスラブから部屋に伝わる外気の冷気をより一層、確実に遮断することができる。また、本発明の建築構造体は、内断熱構造であっても、外断熱構造であってもよいが、特に、外断熱構造のものが、建築構造体の壁などをすっぽり断熱材で外側からくるむと共に、外断熱構造が採れないバルコニーや廊下の屋内と屋外の境界部分を加熱できるため、ヒートブリッジを形成する部分がほとんど無くなり、建物を長持ちさせると共に、結露の発生によるアレルギーの問題を解消することができる。また、線状発熱体や面状発熱体は別途の精密な温度検出器などを設けなくとも、ある程度の温度範囲でスラブの加温部分を温度制御できるから、積極的に加温することにより、部屋内温度をより均一に保つことができる。
【００２０】
【発明の効果】
本発明によれば、住戸本体から外気側に突出するバルコニー又は廊下となるスラブを有する建築構造体において、外断熱構造が採れないバルコニーや廊下の屋外と屋内の境界部分を加温して、バルコニーや廊下のスラブから部屋に伝わる外気の冷気を効果的に遮断することができ、屋内結露の問題を解消することができる。また、当該加温部分は自在に温度制御できるため、通常の外断熱や内断熱を併用すれば、部屋全体を断熱材や発熱体の熱ですっぽり包むことができ、部屋内を均一に保温できる。また、発熱体の埋設は貫通穴に挿入する方法であり、発熱体の付設は露出面に貼付する方法であるため、簡易な交換用治具で設置、交換が可能であり、簡単な施工で行えるため、メンテナンス費等を上昇させることはない。
【図面の簡単な説明】
【図１】本例の建築構造体を上から見た模式図である。
【図２】図１のＡ領域の側面から見た断面図である。
【図３】図１のＡ領域の側面から見た他の断面図である。
【図４】図１のＡ領域の側面から見た他の断面図である。
【符号の説明】
１      建築構造体
２ａ    廊下
２ｂ    バルコニー
３      梁材
４      住戸本体
５      壁材
６      床材
７      内壁材
８      集中制御部
９      外断熱構造体
９ａ    外壁板
９ｂ    断熱材
１０、１１、１１ａ〜１１ｄ      発熱体
Ｘ      壁材の厚み
Ｙ      床材の厚み
Ｚ      発熱体の埋設範囲
【図１】
0004949569.tif 000002
【図２】
0004949569.tif 000003
【図３】
0004949569.tif 000004
【図４】
0004949569.tif 000005